(57)【特許請求の範囲】
【請求項１】
トランスの１次側に供給されるスイッチング電流を制御する制御手段と、前記トランスの２次側出力ライン上の電圧が規定電圧を越えているときはオンし、前記トランスの２次側出力ライン上の電圧が規定電圧以下になったときはオフする第１スイッチ手段と、前記２次側出力ライン上に逆流防止手段を介して接続された所定時定数を持つ充放電手段であって、前記逆流防止手段を介して充電を行い、前記第１スイッチ手段がオフで且つ前記逆流防止手段を介して充電電流の供給が無くなったことで放電を行う充放電手段と、前記第１スイッチ手段に結合して、当該第１スイッチ手段がオンしているときはオフし、当該第１スイッチ手段がオフしているときは前記充放電手段の放電電流に応答してオンする第２スイッチ手段と、前記第２スイッチ手段に結合して、当該第２スイッチ手段がオンしているときは、前記充放電手段の放電電流に応答して前記制御手段の動作をオフする動作オフ手段と、前記２次側出力ライン上に接続された第３スイッチ手段であって、前記第１スイッチ手段に結合して、当該第１スイッチ手段がオフしているときは前記充放電手段の放電電流に応答してオンして前記トランスの２次側出力ラインを放電する第３スイッチ手段とを具えたことを特徴とするスイッチング電源。
【請求項２】
前記動作オフ手段は、前記トランスの２次側出力ライン上に接続されて当該２次側出力ライン上の過電圧を検出したときは過電圧検出電流を流す過電圧検出手段の過電圧検出電流経路中に配置され、前記過電圧検出手段が過電圧を検出したときは前記過電圧検出電流に応答して前記制御手段の動作をオフすることを特徴とする請求項１に記載のスイッチング電源。
【発明の詳細な説明】
【０００１】
【発明の属する技術分野】
本発明は、スイッチング電源に関し、特に、スイッチング電源が動作状態からオフし、再オンした時に、出力電圧オフ状態を特定時間保持するシーケンス動作を実現したスイッチング電源に関する。
【０００２】
【従来の技術】
例えばスイッチング電源として、図３に示すようなＲＣＣ方式のスイッチング電源が知られている。
【０００３】
図３において、入力端子１にＡＣ電源が投入されると、整流素子２を介してコンデンサ３の両端に直流出力が得られる。この整流出力電圧は制御回路６を介してトランジスタ５のベースに印加され、トランジスタ５にベース電流が流れて、トランジスタ５はオンする。トランジスタ５がオンすると、トランス４の１次側の巻線Ｎ１に整流出力電流が流れ、これによって、トランス４の１次側の巻線Ｎ２に電流が流れ、その両端に電圧が発生し、トランジスタ５をスイッチングさせる。トランジスタ５がオフするとトランス４に蓄えられたエネルギーはトランス４の２次側の巻線Ｎ３に接続された整流ダイオード９，平滑用コイル７，逆流防止ダイオード８を介して出力端子１９に出力される。整流ダイオード９のカソード側では、出力ラインとグランドライン間に平滑用コンデンサ１０が接続される。
【０００４】
本スイッチング電源の定電圧動作は、次の通りに行われる。即ち、１２はフォトカプラであって、その発光ダイオードはトランス４の出力電圧を分圧抵抗１５で分圧検出し、発光はシャントレギュレータ１４でオン／オフし、これを受けた受光トランジスタがスイッチングして、トランジスタ５を制御し出力電圧を定電圧制御する。また、フォトカプラ１２の故障時もしくは何らかの原因により、トランス４の２次側出力ラインの電圧が、所定の過電圧検出レベル（降伏電圧）を設定しているツェナダイオード１６の降伏電圧以上となった場合、フォトカプラ１３の発光ダイオード、抵抗１７を介して電流が流れ、フォトカプラ１３の受光トランジスタを動作させることでメインのトランジスタ５がオフされる。
【０００５】
【発明が解決しようとする課題】
図３に示した従来例回路では、電源の負荷として仮に、入力前段にＤＣ／ＤＣコンバータを搭載するＰＬＣモジュールがパラレルに接続された状態で、電源がオフし、直後に再オンした場合、各モジュール側は、通常、入力低下を監視してリセット動作を開始する。
【０００６】
しかし、リセット値の部品バラツキによる差から６Ｖ〜１２Ｖで再オンされた場合、全てのモジュールのリセット処理時間が確保できず、リセット完了状態品とリセット未処理品が混在し、システムが正常に起動できないという問題が発生する。
【０００７】
そこで本発明は、以上のような問題を解消したスイッチング電源を提供することにある。
【０００８】
【課題を解決するための手段】
請求項１の発明は、トランスの１次側に供給されるスイッチング電流を制御する制御手段と、前記トランスの２次側出力ライン上の電圧が規定電圧を越えているときはオンし、前記トランスの２次側出力ライン上の電圧が規定電圧以下になったときはオフする第１スイッチ手段と、前記２次側出力ライン上に逆流防止手段を介して接続された所定時定数を持つ充放電手段であって、前記逆流防止手段を介して充電を行い、前記第１スイッチ手段がオフで且つ前記逆流防止手段を介して充電電流の供給が無くなったことで放電を行う充放電手段と、前記第１スイッチ手段に結合して、当該第１スイッチ手段がオンしているときはオフし、当該第１スイッチ手段がオフしているときは前記充放電手段の放電電流に応答してオンする第２スイッチ手段と、前記第２スイッチ手段に結合して、当該第２スイッチ手段がオンしているときは、前記充放電手段の放電電流に応答して前記制御手段の動作をオフする動作オフ手段と、前記２次側出力ライン上に接続された第３スイッチ手段であって、前記第１スイッチ手段に結合して、当該第１スイッチ手段がオフしているときは前記充放電手段の放電電流に応答してオンして前記トランスの２次側出力ラインを放電する第３スイッチ手段とを具えたことを特徴とする。
【０００９】
請求項２の発明は、請求項１において、前記動作オフ手段は、前記トランスの２次側出力ライン上に接続されて当該２次側出力ライン上の過電圧を検出したときは過電圧検出電流を流す過電圧検出手段の過電圧検出電流経路中に配置され、前記過電圧検出手段が過電圧を検出したときは前記過電圧検出電流に応答して前記制御手段の動作をオフすることを特徴とする。
【００１０】
本発明によれば、上記構成により、（１）電源オフ時は２次側出力ラインが、ある規定電圧値以下になると瞬時に電源オフ状態となり、（２）充放電手段で決定される時定数内はオフ状態を継続する電源が提供できる。
【００１１】
【発明の実施の形態】
図１は本発明の実施例を示す回路図である。図１において、図３と同様部分は同一符号を付した。スイッチング電源の基本動作については、従来例と同様であるので、図１におけるトランス４の１次側の構成は図示省略した。また、フォトカプラ１２，１３の受光トランジスタの出力の接続先は、図３のそれと同じである。
【００１２】
本スイッチング電源が出力端子１９に所定の電圧を出力中の時、ツェナダイオード２１，ダイオード２２，抵抗２３を介して電流が流れ、コンデンサ２４を充電する。ここで、ツェナダイオード２１（の降伏電圧）とツェナダイオード１６（の降伏電圧）は合わせて過電圧レベル（すなわち、この２つの合計の過電圧レベルは、図３のツェナダイオード１６の降伏電圧と等しい。）を決定している。また、ダイオード２２は逆流防止用に接続するものである。
【００１３】
次に、コンデンサ２４が電荷を充電すると、ダイオード２２と抵抗２３の中点部から抵抗２５を通じてトランジスタ２７に電流が流れる。但し、この時、トランジスタ２７にはツェナダイオード２０を介してベース電流が供給されているものとする。
【００１４】
この状態で電源をオフすると、２次側出力ラインの電圧が徐々に低下してツェナダイオード２０による規定値（降伏電圧）以下になるとトランジスタ２７がオフし、抵抗２３，２５を介してコンデンサ２４からの放電電流がトランジスタ２６とトランジスタ２９のベースに供給されて、コンデンサ２４と抵抗２３，抵抗２５の時定数などで決定される時間だけトランジスタ２６，２９がオンする。このトランジスタ２６のオンにより過電圧保護用のフォトカプラ１３の発光ダイオードが発光し、受光トランジスタがオンして１次側のメイントランジスタ（５）をオフすると同時に、トランジスタ２９のオンにより抵抗２８を介して２次側出力ラインを瞬時に放電する。上記の時定数内においては、この状態、すなわち、１次側のメイントランジスタ（５）のオフ、および２次側出力ラインの放電状態が継続され、この間に、再オン指令（電源再投入）が入ったとしても、２次側出力はオフ状態を継続する。
【００１５】
参考として、図２の（ａ）に従来方式による、図２の（ｂ）に本発明による、電源オフから再投入に至る２次側出力の状況を表す電源シーケンス例を示す。図２から、本発明によってのみ、電源オフ後、再投入してから所定の遅延時間後に２次側出力がオンしていることが分かる。
【００１６】
【発明の効果】
本発明によれば、電源出力電圧の瞬時のオフと、その後の一定時間の電源オフ状態の保持により、例えば、入力部にＤＣ／ＤＣコンバータを搭載するＰＬＣモジュール等の負荷をパラレルに接続した場合の部品のバラツキにより発生することが予想されるオフ／オン時のシステムエラー回避の為のリセット処理時間などが確保できる。これにより、一般用途品からシステム機器品のさまざまな電源に適用が可能となる。
【図面の簡単な説明】
【図１】本発明の実施例の回路図である。
【図２】電源シーケンスを示す図である。
【図３】従来のスイッチング電源の回路図である。
【符号の説明】
４    トランス
７    平滑用コイル
８    逆流防止ダイオード
９    整流ダイオード
１０    平滑用コンデンサ
１２    フォトカプラ
１３    フォトカプラ
１４    シャントレギュレータ
１５    分圧抵抗
１６    ツェナダイオード
１７    抵抗
１９    出力端子
２０    ツェナダイオード
２１    ツェナダイオード
２２    ダイオード
２３    抵抗
２４    コンデンサ
２５    抵抗
２６    トランジスタ
２７    トランジスタ
２８    抵抗
２９    トランジスタ
【図１】
0003763273.tif 000002
【図２】
0003763273.tif 000003
【図３】
0003763273.tif 000004